(57)【要約】【課題】複数の回転可能なコネクタモジュールを有する電気通信パッチパネルを提供する。【解決手段】本発明の電気通信パッチパネル１０は、複数のコネクタモジュールマウントを具えるフレーム部材１２と、各々が回転軸周りの複数の位置の内の１つの位置にて、前記複数のコネクタモジュールマウントの１つと結合している、複数のコネクタモジュール１６ａ，１６ｂ，１６ｃ，１６ｄとを具え、前記複数のコネクタモジュールの各コネクタモジュールの第１の側面１８ａ，１８ｂ，１８ｃ，１８ｄが、前記コネクタモジュールの反対面の第２の側面に結合している第２のコネクタジャックと電気的に通信する、複数の第１のコネクタジャックを有す。【選択図】図９
2009123682.tif 000002
【特許請求の範囲】
【請求項１】
電気通信パッチパネルであって、
（ａ）複数のコネクタモジュールマウントを有するフレーム部材と、
（ｂ）各々が回転軸周りの複数の位置のうちの１つの位置にて、前記複数のコネクタモジュールマウントの１つに結合している、複数のコネクタモジュールと、
を具え、前記複数のコネクタモジュールの各コネクタモジュールの第１の側面が、該コネクタモジュールの反対面の第２の側面に結合している第２のコネクタジャックと電気通信する複数の第１のコネクタジャックを有することを特徴とする、電気通信パッチパネル。
【請求項２】
各コネクタモジュールの複数の第１のコネクタジャックが、ＲＪ４５コネクタジャックの直線配列にあることを特徴とする、請求項１に記載の電気通信パッチパネル。
【請求項３】
前記各コネクタモジュールの第２のコネクタジャックが、ＭＩＮＩ  ＲＪ２１コネクタジャックであることを特徴とする、請求項１または２に記載の電気通信パッチパネル。
【請求項４】
各コネクタモジュールの複数の前記第１のコネクタジャックが、プリント回路基板の電気接点によって、前記第２のコネクタジャックに電気的に接続されていることを特徴とする、請求項３に記載の電気通信パッチパネル。
【請求項５】
前記プリント回路基板が４つの層から成ることを特徴とする、請求項４に記載の電気通信パッチパネル。
【請求項６】
前記プリント回路基板の構成要素が、前記プリント回路基板の片側のみに位置していることを特徴とする、請求項４または５に記載の電気通信パッチパネル。
【請求項７】
前記プリント回路基板が水平に実装されることを特徴とする、請求項４〜６のいずれか一項に記載の電気通信パッチパネル。
【請求項８】
互いの上部に実装された、多層の水平プリント回路基板を具えることを特徴とする、請求項４〜７のいずれか一項に記載の電気通信パッチパネル。
【請求項９】
前記プリント回路基板の反対側が、互いに反転している多層の水平プリント回路基板を具えることを特徴とする、請求項４〜７のいずれか一項に記載の電気通信パッチパネル。
【請求項１０】
前記プリント回路基板のはんだピンが外側に向くように反転させて、前記プリント回路基板の反対側が回転した態様の、２つの水平プリント回路基板を具えることを特徴とする、請求項４〜７のいずれか一項に記載の電気通信パッチパネル。
【請求項１１】
各コネクタモジュールが、前記プリント回路基板を収容する形状を有する筐体を具えることを特徴とする、請求項１〜６のいずれか一項に記載の電気通信パッチパネル。
【請求項１２】
各コネクタモジュールの前記筐体が、前記コネクタモジュールマウントに位置した時に、少なくとも軸周りの部分回転を可能とする形状を有することを特徴とする、請求項１１に記載の電気通信パッチパネル。
【請求項１３】
前記複数の第１のコネクタジャックが、前記プリント回路基板の共通の端部に結合していることを特徴とする、請求項４〜１２のいずれか一項に記載の電気通信パッチパネル。
【請求項１４】
前記第２のコネクタジャックが、前記第１のコネクタジャックから離れた前記プリント回路基板の角に結合していることを特徴とする、請求項１３に記載の電気通信パッチパネル。
【請求項１５】
各コネクタモジュールの第１の側面が、前記モジュールの反対向きの第２の側面に結合した別の第２のコネクタジャックと電気通信する、別の複数の第１のコネクタジャックを具えることを特徴とする、請求項１〜６のいずれか一項に記載の電気通信パッチパネル。
【請求項１６】
各コネクタモジュールの前記別の複数の第１のコネクタジャックが、ＲＪ４５コネクタジャックの直線配列にあることを特徴とする、請求項１５に記載の電気通信パッチパネル。
【請求項１７】
各コネクタモジュールの前記別の第２のコネクタジャックが、ＭＩＮＩ  ＲＪ２１コネクタジャックであることを特徴とする、請求項１５または１６に記載の電気通信パッチパネル。
【請求項１８】
各コネクタモジュールの前記別の複数の第１のコネクタジャックが、別のプリント回路基板の電気接点によって、前記別の第２のコネクタジャックに電気的に接続されていることを特徴とする、請求項１５〜１７のいずれか一項に記載された電気通信パッチパネル。
【請求項１９】
前記別のプリント回路基板が４層から成ることを特徴とする、請求項１８に記載の電気通信パッチパネル。
【請求項２０】
前記別のプリント回路基板の構成要素が、前記プリント回路基板の片側のみに位置していることを特徴とする、請求項１８または１９に記載の電気通信パッチパネル。
【請求項２１】
各コネクタモジュールが、前記プリント回路基板および前記別のプリント回路基板を収容する形状を有する筐体を具えることを特徴とする、請求項１５〜２０のいずれか一項に記載の電気通信パッチパネル。
【請求項２２】
各コネクタモジュールの前記筐体が、前記マウントに位置する時に、少なくとも軸周りの部分回転を可能にする形状を有することを特徴とする、請求項２１に記載の電気通信パッチパネル。
【請求項２３】
前記フレーム部材に結合したケーブルマネージャーを具えることを特徴とする、請求項１〜２２のいずれか一項に記載の電気通信パッチパネル。
【請求項２４】
前記コネクタモジュールが、前記フレーム部材に平行な位置、前記フレーム部材に対する第１の角度を有する位置、および前記第１の角度を有する位置とは反対方向になる前記フレーム部材に対する第２の角度を有する位置からなる軸に関する３つの位置のうちの１つに位置するように移動可能であることを特徴とする、請求項１〜２３のいずれか一項に記載の電気通信パッチパネル。
【請求項２５】
前記３つの位置の１つにて、前記コネクタモジュールを前記フレーム部材に固定するロックを有することを特徴とする、請求項２４に記載の電気通信パッチパネル。
【請求項２６】
前記別の複数の第１のコネクタジャックが、前記別のプリント回路基板の共通の端部に結合していることを特徴とする、請求項１８〜２５のいずれか一項に記載の電気通信パッチパネル。
【請求項２７】
前記別の第２のコネクタジャックが、前記第１のコネクタジャックから離れた前記別のプリント回路基板の角に結合していることを特徴とする、請求項２６に記載の電気通信パッチパネル。
【請求項２８】
前記プリント回路基板および前記別のプリント回路基板がほぼ同一であることを特徴とする、請求項２７に記載の電気通信パッチパネル。
【請求項２９】
前記プリント回路基板の構成要素および前記別のプリント回路基板の構成要素が前記コネクタモジュール中に組み込まれた時に互いに向き合うことを特徴とする、請求項２８に記載の電気通信パッチパネル。
【請求項３０】
前記プリント回路基板が、前記コネクタモジュール中に組み込まれた時に前記別のプリント回路基板の上に重なることを特徴とする、請求項２９に記載の電気通信パッチパネル。
【請求項３１】
前記プリント回路基板の第２のコネクタジャックおよび前記別のプリント回路基板の別の第２のジャックが、前記コネクタモジュール中に組み込まれた時に千鳥状になることを特徴とする、請求項３０に記載の電気通信パッチパネル。
【請求項３２】
添付図に表されるものと同様の電気通信パッチパネル。
【発明の詳細な説明】
【技術分野】
【０００１】
本発明は電気通信パッチパネルに関するものである。
【背景技術】
【０００２】
ローカルエリアネットワークおよび電気通信接続は、パッチパネルを使用することがよくあり、特に顧客の構内では電気通信装置間の相互接続を可能にする。パッチパネルは典型的には、その前面および背面に接続位置を有する。背面の接続部は典型的には、銅ベースのツイストペア通信ケーブルに接続するための圧接コネクタのような、常時接続タイプの接続部である。パッチパネルの正面の接続部は、パッチコードまたは他の伝送ケーブルのプラグの受け部用の多様な任意のジャックを有することができる。ジャックとプラグは、同一のパッチパネルにおける２つのジャック間、またはパッチパネルにおける一つのジャックと近くにあるパッチパネルにおける別のジャックとの間の２つのジャック間で、極めて迅速な接続または切断を可能にする。パッチパネル用のジャックおよびプラグの配置の１つのタイプには、ＲＪ４５タイプのコネクタがある。背面の圧接コネクタおよびパッチコードの受け部としての正面のジャックを有する、相互接続パネルの例は知られている。（例えば、特許文献１参照）
【特許文献１】米国特許第５６３９２６１号明細書
【発明の開示】
【発明が解決しようとする課題】
【０００３】
様々なケーブルを保護し整理するために、ケーブル管理に対するより一層のニーズがある。ケーブルの過剰な屈曲が発生すると、ある領域にて銅ベースのツイストペアケーブルによるケーブルの破壊および／または性能の低下が起こりうる。これは、カテゴリー５以上のような高周波数が使用される時に特に関わってくる。例えばケーブルの最小曲げ半径を下回ると、銅線のパッチコードによる信号伝送の性能に悪影響を与え得る。従って上記のケーブル管理の懸案事項を解決するパッチパネルのニーズがある。ルーターは、ＲＪ４５およびＭＩＮＩ  ＲＪ２１コネクタの双方を具えることができる。既存の装置の幾つかは、ＲＪ４５コネクタを有するルーターとの通信に対してのみ互換性がある。このような状況では、当該装置とルーターとの間の通信を確立することは困難であるか、概して不便となり得る。
【０００４】
通信設置において、２台の装置間で複数のデータケーブルを屋根裏を介して中継することが必要となり得る。屋根裏でそれぞれのケーブルを個々に設置することは時間がかかり、概して不便となり得る。
【０００５】
包括的には、本発明の目的は、上記の困難の１つ以上を克服または改善、または少なくとも有益な代替案を提供することにある。
【課題を解決するための手段】
【０００６】
本発明の一態様による電気通信パッチパネルは、
（ａ）複数のコネクタモジュールマウントを具えるフレーム部材と、
（ｂ）各々が回転軸周りの複数の位置のうちの１つの位置にて、前記複数のコネクタモジュールマウントの１つに結合している、複数のコネクタモジュールと、
を具え、前記複数のコネクタモジュールの各コネクタモジュールの第１の側面が、該コネクタモジュールの反対面の第２の側面に結合している第２のコネクタジャックと電気的に通信する、複数の第１のコネクタジャックを有することを特徴とする。
【０００７】
各コネクタモジュールの複数の第１のコネクタジャックは、ＲＪ４５コネクタジャックの直線配列にあることが好ましい。
【０００８】
各コネクタモジュールの第２のコネクタジャックは、ＭＩＮＩ  ＲＪ２１コネクタジャックであることが望ましい。
【０００９】
各コネクタモジュールの前記複数の第１のコネクタジャックは、プリント回路基板の電気接点によって前記第２のコネクタジャックに電気的に接続されていることが好ましい。
【００１０】
前記プリント回路基板は４層から成ることが好ましい。
【００１１】
添付の図を参照し、制限のない実施例のみによって、本発明の好適な実施例をこれから説明する。
【発明を実施するための最良の形態】
【００１２】
図１から図１１に示す電気通信（Ｔｅｌｅｃｏｍｍｕｎｉｃａｔｉｏｎｓ）パッチパネル１０（図１０）は、複数のコネクタモジュールマウント１４、および各々が回転軸周りの複数の位置の１つにてマウントの１つに接続されている、複数のコネクタモジュール１６を具える、フレーム部材１２を具える。各コネクタモジュール１６の第１の側面１８は、コネクタモジュール１６の反対面の第２の側面に結合された第２のコネクタジャック２２と電気的に通信する複数の第１のコネクタジャック２０（図１０）を具える。それぞれのコネクタモジュール１６の複数の第１のコネクタジャック２０はＲＪ４５コネクタジャックの直線配列にある。各コネクタモジュール１６の第２のコネクタジャック２２はＭＩＮＩ  ＲＪ２１コネクタジャックである。
【００１３】
電気通信パッチパネル１０は、電気通信装置を接続するために使用することができる。パッチパネル１０は、特に相互接続装置において有用である。例えばパッチパネル１０は、ＲＪ４５コネクタジャックを有する装置をＭＩＮＩ  ＲＪ２１コネクタジャックを有するルーターに接続するのに使用できる。２台の装置間で屋根裏を介して複数のデータケーブルを中継することが必要な通信設置において、パッチパネル１０を用いて、複数のＲＪ４５コネクタジャックから伸びる複数のケーブルを、ＭＩＮＩ  ＲＪ２１データケーブルから伸びる１つのデータケーブルへと組み合わせることが出来る。その際、屋根裏を介して１つのデータケーブルを通すだけでよくなる。
【００１４】
フレーム部材１２は、従来の構造のラック（図示せず）に実装するように適合させている。例えば、フレーム部材１２は４つの孔２６ａ，２６ｂ，２６ｃ，２６ｄを具え、この各孔を介して留め具（図示せず）をラックの穴部（図示せず）における受け部に通すことができる。
【００１５】
尚、図１０および図１１に詳しく示すように、フレーム部材１２は、平行に、そして仕切り３０ａ，３０ｂ，３０ｃによって分離して配置された、上部の細長いプレート２８ａ（図３）および下部の細長いプレート２８ｂ（図４）を具える。仕切り３０ａ，３０ｂ，３０ｃは、上部及び下部のプレート２８ａ，２８ｂと一体的に結合するように、型に押し込まれた１つの金属片で形成することが好ましい。それぞれのコネクタモジュールマウント１４ａ，１４ｂ，１４ｃ，１４ｄは、上部と下部のプレート２８ａ，２８ｂと、フレーム部材１２の隣接する仕切り３０ａ，３０ｂ，３０ｃとの間に形成される。コネクタモジュールマウント１４ａ，１４ｂ，１４ｃ，１４ｄは、モジュール１６ａ，１６ｂ，１６ｃ，１６ｄの本体部分が上部および下部のプレート２８ａ，２８ｂの間に位置するような位置で、コネクタモジュール１６ａ，１６ｂ，１６ｃ，１６ｄを支えるために、適切な大きさと形状を有する。モジュール１６ａ，１６ｂ，１６ｃ，１６ｄは、上部および下部のプレート２８ａおよび２８ｂの反対側まで伸張しているピン３２ａ，３２ｂによって、マウント１４ａ，１４ｂ，１４ｃ，１４ｄに結合している。ピン３２ａ，３２ｂは、これらの間で規定された軸の周囲で少なくとも部分的な回転が可能とするように、各モジュール１６ａ，１６ｂ，１６ｃ，１６ｄと嵌合している。代わりに、各コネクタモジュール１６ａ，１６ｂ，１６ｃ，１６ｄは、回転軸周りの異なる多くの位置に配置することが可能な別の適切な手段によって、それぞれのマウント１４ａ，１４ｂ，１４ｃ，１４ｄに結合してもよい。                
【００１６】
上記の配置においては、各モジュール１６ａ，１６ｂ，１６ｃ，１６ｄを図７に示すやり方で配置することができ、そこでは第１の側面１８は、フレーム部材１２の長尺方向「Ｘ」に垂直な方向「Ｓ」に向いている。前記モジュール１６ａ，１６ｂ，１６ｃ，１６ｄは、図９に示す第１のモジュール１６ａのように配置することもでき、そこでは第１の側面１８ａはフレーム部材１２の長尺方向「Ｘ」に垂直な方向「Ｎ」とθ１度の角度をなす方向「Ｓ１」に開いている。例えば、θ１は１５度であることが好ましい。同様に、モジュール１６ａ，１６ｂ，１６ｃ，１６ｄは、図９に示す第３のモジュール１６ｃのように配置することも可能であり、そこでは１８ｃの第１の側面がフレーム部材１２の長尺方向「Ｘ」に垂直な方向「Ｎ」とθ２度の角度をなす方向「Ｓ２」に開いている。例えば、θ２は１５度であることが好ましい。
【００１７】
フレーム部材１２の長尺方向「Ｘ」に対するモジュール１６ａ，１６ｂ，１６ｃ，１６ｄの角度は、ケーブル破壊および／またはケーブル性能の損失の防止に役立つような歪みの緩和をもたらす。この角度を有するコネクタモジュール１６ａ，１６ｂ，１６ｃ，１６ｄによって与えられたケーブル位置は、それぞれのケーブルが別のジャック、あるいは別の装置に移動した時に、ケーブルの最小曲げ半径を下回る可能性を低減するのに役立つ。このような歪みの緩和は、ケーブル経路に関連するコネクタプラグの垂直実装に有用である。
【００１８】
図１０および図１１に詳しく示すように、パッチパネル１０は、コネクタモジュール１６ａ，１６ｂ，１６ｃ，１６ｄを、それらの回転軸に対して固定位置に固定するように構成された、５つのロックデバイス３６ａ，３６ｂ，３６ｃ，３６ｄ，３６ｅを具える。それぞれのロックデバイス３６ａ，３６ｂ，３６ｃ，３６ｄ，３６ｅは、仕切り３０ａ，３０ｂ，３０ｃまたはフレーム部材１２の端の部分に固定するように適合させている。図５および図６に詳しく示すように、ロックデバイス３６ａ，３６ｂ，３６ｃ，３６ｄ，３６ｅは、前記コネクタモジュール１６ａ，１６ｂ，１６ｃ，１６ｄの側面部分４０のロック面３８（図５）を受けて、嵌合するような形状をしている。それぞれのロック面３８は、ロックデバイス３６のフランジを受ける形状をした垂直および水平方向の溝４２を具える。
【００１９】
モジュール１６ａ，１６ｂ，１６ｃ，１６ｄを好適な配置に位置させるように、
１．ロックデバイス３６ａ，３６ｂ，３６ｃ，３６ｄ，３６ｅをこれらの現在の位置から取り外すステップと
２．モジュール１６ａ，１６ｂ，１６ｃ，１６ｄをそれぞれの回転軸の周りの所望の位置に回転させるステップと、
３．フランジ４４がモジュール１６ａ，１６ｂ，１６ｃ，１６ｄの対応する溝に位置するように、前記ロックデバイスを位置３６ａ，３６ｂ，３６ｃ，３６ｄ，３６ｅに取り付けるステップとを行う。
【００２０】
前記モジュール１６ａ，１６ｂ，１６ｃ，１６ｄは、溝４２とロックデバイス３６ａ，３６ｂ，３６ｃ，３６ｄ，３６ｅのフランジ４４との間の摩擦嵌合によって位置を保持している。こうして、水平および垂直の溝４２の配置は、各軸周りの回転の許容内の位置を決定する。あるいはまた、ロックデバイス３６ａ，３６ｂ，３６ｃ，３６ｄ，３６ｅが、軸周りの回転の固定位置にこれらを固定することを可能とする適切なやり方によって、前記モジュール１６ａ，１６ｂ，１６ｃ，１６ｄに嵌合するように適合させることができる。
【００２１】
ロックデバイス３６ａ，３６ｂ，３６ｃ，３６ｄ，３６ｅは、ロックピン４６、およびフレーム部材１２に実装可能なブラケット４８を具える。それぞれのロックピン４６は、シャフトおよび間隔を介した２つのタブを具え、一方は第１の嵌合可能な端へ、他方は反対の端へ結合している。それぞれのタブは反対方向に広がる２つの端部を有する。これらの端の一方は対応する仕切り３０ａ，３０ｂ，３０ｃの穴で受ける。ツールを嵌合可能な端部は、ブラケット４８の孔で受ける。ブラケット４８は、フレーム部材１２の上部および下部のプレート２８ａ，２８ｂに、２つの留め具５１ａ，５１ｂを使用して実装する。一旦ブラケット４８をフレーム部材１２に実装すると、ロックピン４６は非固定位置と固定位置との間で回転可能となる。非固定位置は、ツールを嵌合可能な端部で支えられた平頭ねじ回しなどによって、シャフトが縦の軸周りに９０度回転された場所である。前記ロックデバイス３６ａ，３６ｂ，３６ｃ，３６ｄ，３６ｅの例は、例えばで特許文献２で見つけることが出来る。
【特許文献２】米国特許第７，２４４，１４４号明細書
【００２２】
パッチパネル１０は、要望に応じて、相互接続システムおよび交差結線システムの双方で利用可能である。最小曲げ半径以下にならないように歪みの緩和をもたらすことは、光ファイバー伝送ケーブルに関する問題でもある。本発明の電気通信パッチパネル１０は、適切に設定された光ファイバー接続を有する光ファイバー用途においてもまた有用である。
【００２３】
図１２に詳しく示すように、各コネクタモジュール１６は、オス、およびメスのバネ錠クリップ５２ａ，５２ｂによって互いに連結する第１および第２の部分５０ａ，５０ｂで形成される筐体５０を具える。筐体５０は、２つのプリント回路基板５４ａ，５４ｂを収容する各々の各回路基板に電気的に接続される複数のＲＪ４５接続ジャック２０およびＭＩＮＩ  ＲＪ２１接続ジャック２２を有する。２つのプリント回路基板５４ａ，５４ｂは同一にすることが好ましい。同一基板の場合として、以下に説明する。ＲＪ４５ジャック２０は、プリント回路基板５４ａ，５４ｂの端に沿って直線配列で配置されている。ＭＩＮＩ  ＲＪ２１ジャック２２は、ＲＪ４５ジャック２０とは反対の配列であるプリント回路基板５４ａ，５４ｂの角に向かって配置されている。前記ＭＩＮＩ  ＲＪ２１ジャック２２の外部インターフェースは、ＲＪ４５ジャック２０の外部インターフェースに対して反対の方向に開いている。ＲＪ４５ジャック２０およびＭＩＮＩ  ＲＪ２１ジャック２２の双方は、プリント回路基板５４ａ，５４ｂの同一の側に配置されている。
【００２４】
筐体５０の第１および第２の部分５０ａ，５０ｂは、プリント回路基板５４ａ，５４ｂの側面部分を支えるための形状をした内壁に形成されている上部および下部の溝の対５６ａ，５６ｂおよび５８ａ，５８ｂを具える。溝の対５６ａ，５６ｂおよび５８ａ，５８ｂは、前記筐体５０の部分５０ａおよび５０ｂが互いに整合した時に、プリント基板回路５４ａおよび５４ｂを固定位置に固定する役目を果たす。このように配置された時、それぞれのプリント回路基板５４ａ，５４ｂのＲＪ４５コネクタ２０の配列は面プレート６０用に位置しており、ＭＩＮＩ  ＲＪ２１ジャック２２は筐体５０の第２の部分５０ｂの対応する孔５８に位置している。
【００２５】
図１３に示すプリント回路基板５４ａ，５４ｂは、４つの層６２ａ，６２ｂ，６２ｃ，６２ｄを具える。プリント回路基板５４ａ，５４ｂのそれぞれの層の電気接点の配列を図１４から図１７に示す。プリント回路基板のそれぞれの層６２ａ，６２ｂ，６２ｃ，６２ｄは、ＲＪ４５コネクタジャック２０の対応する接点に電気的に嵌合するための６つの接点の組６６ａ，６６ｂ，６６ｃ，６６ｄ，６６ｅ，６６ｆおよびＭＩＮＩ  ＲＪ２１接続ジャック２２の対応する接点に電気的に嵌合するための接点セット６８を具える。それぞれの接点セット６６ａ，６６ｂ，６６ｃ，６６ｄ，６６ｅ，６６ｆは、４つの対から成る。同一セットの異なる対は、混線を低減するために平行でないことが望ましい。それぞれの配線は単一の層上に広がっている。この場合「ビア」は必要ない。すなわち、ビアとはある層から別の層への配線が切り替わる箇所である。
【００２６】
第１および第２の層６２ａ，６２ｂは０．４ｍｍ離れている。また第２および第３層６２ｂ，６２ｃは０．８ｍｍ離れている。第３および第４層６２ｃ，６２ｄは０．４ｍｍ離れている。従って全体の基板の厚さは１．６ｍｍである。
【００２７】
電気接点の配置は、コネクタモジュール１６中のキャパシタンスとインダクタンスのカップリングを補償する。この補償は、配線の厚さの変化に影響される。
【００２８】
筐体の第２の部分５０ｂは、それぞれのＭＩＮＩ  ＲＪ２１ジャック２２に用のラベル７０ａ，７０ｂを具える。筐体５０の第１の部分５０ａはＲＪ４５ジャックに用のラベル７２を具える。
【００２９】
図１８から図２９に示す電気通信パッチパネル１００は、フレーム部材１１２と、複数のコネクタモジュールマウント１１４と、各々が回転軸周りの複数の位置の内の１つの位置で１つのマウント１１４に結合している、複数のコネクタモジュール１１６とを具える。各コネクタモジュール１１６の第１の側面１１８は、コネクタモジュール１１６の反対面の第２の側面１２４に結合する第２のコネクタジャック１２２と電気的に接続している複数の第１のコネクタジャック１２０を具える。それぞれのコネクタモジュール１１６の複数の第１のコネクタジャック１２０は、ＲＪ４５コネクタジャックの直線配列にある。それぞれのコネクタモジュール１１６の前記第２のコネクタジャック１２２は、ＭＩＮＩ  ＲＪ２１コネクタジャックである。
【００３０】
電気通信パッチパネル１００は、電気通信装置を接続するために使用できる。パッチパネル１００は、特に相互接続装置において有用である。例えばパッチパネル１００は、ＲＪ４５コネクタジャックを有する装置をＭＩＮＩ  ＲＪ２１コネクタジャックを有するルーターに接続するように使用できる。複数のデータケーブルを２台の装置間の屋根裏を介して中継する必要がある通信設置において、パッチパネル１００は、複数のＲＪ４５コネクタジャックから伸びるデータケーブルを用いて、ＭＩＮＩ  ＲＪ２１データケーブルから伸びる１つのデータケーブルに組み合わせることができる。これにより、１つのデータケーブルを屋根裏に通しさえすればよい。
【００３１】
フレーム部材１１２は、従来の構造のラック（示されていない）に実装するように構成されている。例えばフレーム部材１１２は、４つの孔１２６ａ，１２６ｂ，１２６ｃ，１２６ｄを具え、この各孔を介して留め具（図示せず）をラックの穴（図示せず）における受け部に通すことができる。
【００３２】
図２８および図２９に詳しく示すように、フレーム部材１１２は平行に配置され、仕切り１３０ａ，１３０ｂ，１３０ｃで分離された上部の細長いプレート１２８ａおよび下部の細長いプレート１２８ｂを具える。フレーム部材は、仕切り１３０ａ，１３０ｂ，１３０ｃが上部および下部のプレート１２８ａ，１２８ｂの共通の側面と一体的に結合するように、型に押し込まれた１つの金属片で形成することが好ましい。各コネクタモジュールマウント１１４ａ，１１４ｂ，１１４ｃ，１１４ｄは、フレーム部材１１２の上部および下部のプレート１２８ａ，１２８ｂおよび隣接する仕切り１３０ａ，１３０ｂ，１３０ｃの間で形成される。コネクタモジュールマウント１１４ａ，１１４ｂ，１１４ｃ，１１４ｄは、コネクタモジュール１１６ａ，１１６ｂ，１１６ｃ，１１６ｄをモジュール１１６ａ，１１６ｂ，１１６ｃ，１１６ｄの本体が上部および下部のプレート１２８ａ，１２８ｂの間に位置するような位置で受けるのに適した大きさと形状を有している。モジュール１１６ａ，１１６ｂ，１１６ｃ，１１６ｄは、前記マウント１１４ａ，１１４ｂ，１１４ｃ，１１４ｄに、上部および下部のプレート１２８ａ，１２８ｂの反対側まで伸張しているピン１３２ａ，１３２ｂによって結合している。ピン１３２ａ，１３２ｂは、少なくとも規定の軸周りの部分回転を可能とするように、各モジュール１１６ａ，１１６ｂ，１１６ｃ，１１６ｄと嵌合している。あるいはまた、各コネクタモジュール１１６ａ，１１６ｂ，１１６ｃ，１１６ｄは、回転軸周りの多くの異なる位置にこれらを配置することを許容する他の適切なやり方によって、それぞれのマウント１１４ａ，１１４ｂ，１１４ｃ，１１４ｄに結合されてもよい。
【００３３】
上記の配置において、それぞれのモジュール１１６ａ，１１６ｂ，１１６ｃ，１１６ｄは図２４に示すやり方で配置することができ、そこでは第１の側面１１８はフレーム部材１１２の長尺方向「Ｘ」に垂直な方向「Ｓ」に開いている。モジュール１１６ａ，１１６ｂ，１１６ｃ，１１６ｄは図２６に示す第１のモジュール１１６ａのように配置することもでき、そこでは第１の側面１１８ａは、フレーム部材１１２の長尺方向「ｘ」に垂直な方向「Ｎ」に対してθ３の角度をなす方向Ｓ３に開いている。θ３は、例えば１５度であることが好ましい。同様に、モジュール１１６ａ，１１６ｂ，１１６ｃ，１１６ｄは図２６に示すように、第３のモジュール１１６ｃのように配置することができ、第１の側面１１８ｃは、フレーム部材１１２の広がり方向「Ｘ」に垂直な方向「Ｎ」に対してθ４の角度をなす方向「Ｓ４」に開いている。θ４は、例えば１５度であることが好ましい。
【００３４】
フレーム部材１１２に対するモジュール１１６ａ，１１６ｂ，１１６ｃ，１１６ｄのなす角度は、ケーブル破損および／またはケーブル性能の低下を防ぐ歪みの緩和をもたらす。この角度を有するコネクタモジュール１１６ａ，１１６ｂ，１１６ｃ，１１６ｄによって提供されるケーブル位置は、それぞれのケーブルが別のジャックまたは別の装置に移動するとき、ケーブルの最小曲げ半径を下回る可能性を低減するのに役立つ。このような歪みの緩和は、ケーブル経路に関連するコネクタプラグの垂直実装に有用である。
【００３５】
図２８および図２９に詳しく示すように、パッチパネル１００は、コネクタモジュール１１６ａ，１１６ｂ，１１６ｃ，１１６ｄが回転軸に対して固定位置に固定するように設計されている、５つのロックデバイス１３６ａ，１３６ｂ，１３６ｃ，１３６ｄ，１３６ｅを具える。各ロックデバイス１３６ａ，１３６ｂ，１３６ｃ，１３６ｄ，１３６ｅは、仕切り１３０ａ，１３０ｂ，１３０ｃまたはフレーム部材１１２の端部に固定するように構成されている。図２２および図２３に詳しく示すように、ロックデバイス１３６ａ，１３６ｂ，１３６ｃ，１３６ｄ，１３６ｅは、コネクタモジュール１１６ａ，１１６ｂ，１１６ｃ，１１６ｄの側面部分１４０のロック面１３８を受けて嵌合する形状をしている。各ロック面１３８は、ロックデバイス１３６のフランジ１４４を受ける形状をした垂直および水平の溝１４２を具える。
【００３６】
モジュール１１６ａ，１１６ｂ，１１６ｃ，１１６ｄを好適な配置に位置させるために、
１．ロックデバイス１３６ａ，１３６ｂ，１３６ｃ，１３６ｄ，１３６ｅを現在の位置から取り外すステップと、
２．モジュール１１６ａ，１１６ｂ，１１６ｃ，１１６ｄをそれぞれの軸周りで所望の位置に回転させるステップと、
３．フランジ１４４がモジュール１１６ａ，１１６ｂ，１１６ｃ，１１６ｄの対応する溝１４２に確実に位置するように、前記ロックデバイスを位置１３６ａ，１３６ｂ，１３６ｃ，１３６ｄ，１３６ｅに取り付けるステップとを行う。
【００３７】
モジュール１１６ａ，１１６ｂ，１１６ｃ，１１６ｄは、ロックデバイス１３６ａ，１３６ｂ，１３６ｃ，１３６ｄ，１３６ｅの溝１４２およびフランジ１４４間の摩擦嵌合によって位置が保存している。こうして、水平および垂直方向の溝１４２は、各軸周りの回転の許容内の位置を決定する。あるいはまた、ロックデバイス１３６ａ，１３６ｂ，１３６ｃ，１３６ｄ，１３６ｅは、軸周りの回転の固定位置に固定が可能な適切なやり方によって、モジュール１１６ａ，１１６ｂ，１１６ｃ，１１６ｄを嵌合するように適合させてもよい。
【００３８】
ロックデバイス１３６ａ，１３６ｂ，１３６ｃ，１３６ｄ，１３６ｅは、ロックピン１４６およびフレーム部材１１２に実装可能なブラケット１４８を具える。各ロックピン１４６は、シャフトおよび間隔を介した２つのタブを具え、一方は第１の嵌合可能な端へ、他方は反対の端へ結合している。それぞれのタブは反対方向に伸びる２つの端を有する。一方の端部は、対応する仕切り１３０ａ，１３０ｂ，１３０ｃの穴で受ける。ツールの嵌合が可能な端部は、ブラケット１４８の孔で受ける。ブラケット１４８は、フレーム部材１１２の上部および下部のプレート１２８ａ，１２８ｂに、２つの留め具１５１ａ，１５１ｂを使用して実装する。一旦ブラケット１４８がフレーム部材１１２に実装されると、ロックピン１４６は非固定位置と固定位置との間で回転可能となる。非固定位置は、ツールを嵌合可能な端部で受ける平頭ねじ回しによって、シャフトが縦の軸周りに９０度回転した場所である。ロックデバイス１３６ａ，１３６ｂ，１３６ｃ，１３６ｄ，１３６ｅの例は、例えば特許文献２で見つけることができる。
【００３９】
パッチパネル１００は、要望に応じて、相互接続システムおよび交差結線システムの双方で利用可能である。最小曲げ半径を下回らないように歪みの緩和をもたらすことは、光ファイバー伝送ケーブルに関する問題でもある。本発明の電気通信パッチパネル１００は、適切に設定された光ファイバー接続を有する光ファイバー用途においてもまた有用である。
【００４０】
図２８および図２９に詳しく示すように、各コネクタモジュール１１６は、オス、およびメスのバネ錠クリップ１５２ａ，１５２ｂによって連結される第１および第２の部分１５０ａ，１５０ｂで形成される筐体１５０を具える。筐体１５０は、プリント回路基板１５４を収容し、この基板は、この基板に電気的に接続される複数のＲＪ４５接続ジャック１２０およびＭＩＮＩ  ＲＪ２１接続ジャック１２２を有する。このプリント回路基板１５４は、プリント回路基板１５４ａ，１５４ｂの各々のもの機能的に等価である。ＲＪ４５ジャック１２０は、プリント回路基板１５４の端に沿って直線配列にある。ＭＩＮＩ  ＲＪ２１ジャック１２２は、ＲＪ４５ジャック１２０とは反対の配列であるような、プリント回路基板１５４の角に向かって配置されている。ＭＩＮＩ  ＲＪ２１ジャック１２２の外部インターフェースは、ＲＪ４５ジャック１２０の外部インターフェースに対して反対の方向に開いている。ＲＪ４５ジャック１２０およびＭＩＮＩ  ＲＪ２１ジャック１２２は、プリント回路基板１５４の同一の側に配置されている。
【００４１】
筐体１５０の前記第１および第２の部分１５０ａ，１５０ｂは、プリント回路基板１５４の側面部分を受けるための形状をした内壁に形成されている上部および下部の溝の対１５６ａ，１５６ｂおよび１５８ａ，１５８ｂを具える。溝の対１５６ａ，１５６ｂおよび１５８ａ，１５８ｂは、筐体１５０の部分１５０ａおよび１５０ｂが互いに整合した時に、プリント基板回路１５４を固定位置に固定する役割を果たす。このように配置された時、それぞれのプリント回路基板１５４ａ，１５４ｂのＲＪ４５コネクタ１２０の配列は、面プレート１６０用に位置しており、ＭＩＮＩ  ＲＪ２１ジャック１２２は筐体１５０の第２の部分１５４ｂの対応する孔１５８に位置している。
【００４２】
本発明の特定の実施例を示して説明する一方で、当業者が更なる変更および改良を行うことが可能である。従って、本発明が示された特定の形式に制限されないと理解されたいし、添付の請求項中に、本発明の精神および範囲から離れない全ての変更をカバーしていることを意図している。
【００４３】
本明細書を通して、内容が要求するのでなければ「具える」という言葉は、規定の数字またはステップ、または数字またはステップのグループを包含していると理解されたいが、他の数字やステップ、または数字またはステップのグループの存在を除外するわけではない。
【００４４】
本明細書における如何なる先行技術の参照も、前記先行技術が公の一般的な知識の一部を形成していることの承認または、如何なる形態の提案ではないし、そう捉えるべきでもない。
【図面の簡単な説明】
【００４５】
【図１】電気通信パッチパネルの正面図である。
【図２】図１に示すパッチパネルの背面図である。
【図３】図１に示すパッチパネルの上面図である。
【図４】図１に示すパッチパネルの底面図である。
【図５】図１に示すパッチパネルの側面図である。
【図６】図１に示すパッチパネルの別の側面図である。
【図７】図１に示すパッチパネルの正面斜視図である。
【図８】図１に示すパッチパネルの背面斜視図である。
【図９】他の使用条件において配置された、図１に示すパッチパネルの正面斜視図である。
【図１０】図１に示すパッチパネルの部分的な分解背面斜視図である。
【図１１】図１に示すパッチパネルの部分的な分解正面斜視図である。
【図１２】図１に示すパッチパネルのコネクタモジュールの分解図である。
【図１３】図１に示すパッチパネルのコネクタモジュールのプリント回路基板
【図１４】図１３に示すプリント回路基板の第１の層の上面図である。
【図１５】図１３に示すプリント回路基板の第２の層の上面図である。
【図１６】図１３に示すプリント回路基板の第３の層の上面図である。
【図１７】図１３に示すプリント回路基板の第４の層の上面図である。
【図１８】別の電気通信パッチパネルの正面図である。
【図１９】図１８に示すパッチパネルの背面図である。
【図２０】図１８に示すパッチパネルの上面図である。
【図２１】図１８に示すパッチパネルの底面図である。
【図２２】図１８に示すパッチパネルの側面図である。
【図２３】図１８に示すパッチパネルの別の側面図である。
【図２４】図１８に示すパッチパネルの正面斜視図である。
【図２５】図１８に示すパッチパネルの背面斜視図である。
【図２６】他の使用条件において配置された、図１８に示すパッチパネル正面斜視図である。
【図２７】図２６に示すパッチパネルの背面斜視図である。
【図２８】図１８に示すパッチパネルの部分的な分解正面斜視図である。
【図２９】図１８に示すパッチパネルの部分的な分解背面斜視図である。
【符号の説明】
【００４６】
１０  電気通信パッチパネル
１２  フレーム部材
１４  コネクタモジュールマウント
１４ａ  コネクタモジュールマウント
１４ｂ  コネクタモジュールマウント
１４ｃ  コネクタモジュールマウント
１４ｄ  コネクタモジュールマウント
１６  コネクタモジュール
１６ａ  コネクタモジュール
１６ｂ  コネクタモジュール
１６ｃ  コネクタモジュール
１６ｄ  コネクタモジュール
１８  コネクタモジュールの第１の側面
１８ａ  コネクタモジュールの第１の側面
１８ｂ  コネクタモジュールの第１の側面
１８ｃ  コネクタモジュールの第１の側面
１８ｄ  コネクタモジュールの第１の側面
２０  ＲＪ４５コネクタジャック
２２  第２のコネクタジャック
２４  コネクタモジュールの第２の側面
２６ａ  孔
２６ｂ  孔
２６ｃ  孔
２６ｄ  孔
２８ａ  上部の細長いプレート
２８ｂ  上部の細長いプレート
３０ａ  仕切り
３０ｂ  仕切り
３０ｃ  仕切り
３０ｄ  仕切り
３０ｅ  仕切り
３２ａ  ピン
３２ｂ  ピン
３６  ロックデバイス
３６ａ  ロックデバイス
３６ｂ  ロックデバイス
３６ｃ  ロックデバイス
３６ｄ  ロックデバイス
３６ｅ  ロックデバイス
３８  ロック面
４０  コネクタモジュールの脇の部分
４２  垂直および水平の溝
４４  ロックデバイスのフランジ
４６  ロックピン
４８  ブラケット
５０  筐体
５０ａ  筐体の第１の部分
５０ｂ  筐体の第２の部分
５１ａ  留め具
５１ｂ  留め具
５２ａ  オスのバネ錠クリップ
５２ｂ  メスのバネ錠クリップ
５４ａ  プリント回路基板
５４ｂ  プリント回路基板
５６ａ  溝の上面のペア
５６ｂ  溝の上面のペア
５８  第２のコネクタジャック用の孔
５８ａ  溝の下面のペア
５８ｂ  溝の下面のペア
６０  面プレート
６２ａ  層
６２ｂ  層
６２ｃ  層
６２ｄ  層
６６ａ  接点
６６ｂ  接点
６６ｃ  接点
６６ｄ  接点
６６ｅ  接点
６６ｆ  接点
６８  ＭＩＮＩ  ＲＪ２１コネクタジャックの対応する接点に電気的に接続する接点
７０ａ  ＭＩＮＩ  ＲＪ２１ジャックのラベル
７０ｂ  ＭＩＮＩ  ＲＪ２１ジャックのラベル
７２  ＲＪ４５ジャックのラベル
１００  電気通信パッチパネル
１１２  フレーム部材
１１４ａ  モジュールマウント
１１４ｂ  モジュールマウント
１１４ｃ  モジュールマウント
１１４ｄ  モジュールマウント
１１６  コネクタモジュール
１１６ａ  コネクタモジュール
１１６ｂ  コネクタモジュール
１１６ｃ  コネクタモジュール
１１６ｄ  コネクタモジュール
１１８  コネクタモジュールの第１の側面
１１８ａ  コネクタモジュールの第１の側面
１１８ｂ  コネクタモジュールの第１の側面
１１８ｃ  コネクタモジュールの第１の側面
１１８ｄ  コネクタモジュールの第１の側面
１２０  第１のコネクタジャック
１２２  ＭＩＮＩ  ＲＪ２１コネクタジャック
１２４  コネクタモジュールの第２の側面
１２６ａ  留め具を通すための孔
１２６ｂ  留め具を通すための孔
１２６ｃ  留め具を通すための孔
１２６ｄ  留め具を通すための孔
１２８ａ  フレーム部材の上部のプレート
１２８ｂ  フレーム部材の下部のプレート
１３０ａ  仕切り
１３０ｂ  仕切り
１３０ｃ  仕切り
１３２ａ  ピン
１３２ｂ  ピン
１３６  ロックデバイス
１３６ａ  ロックデバイス
１３６ｂ  ロックデバイス
１３６ｃ  ロックデバイス
１３６ｄ  ロックデバイス
１３６ｅ  ロックデバイス
１３８  ロック面
１４０  コネクタモジュールの側面部分
１４２  垂直および水平の溝
１４４  ロックデバイスのフランジ
１４６  ロックピン
１５０ａ  筐体の第１の部分
１５０ｂ  筐体の第２の部分
１５１ａ  留め具
１５１ｂ  留め具
１５２ａ  オスのバネ錠クリップ
１５２ｂ  メスのバネ錠クリップ
１５４  プリント回路基板
１５６ａ  溝の上面のペア
１５６ｂ  溝の上面のペア
１５８  溝のペア
１５８ａ  溝の下面のペア
１５８ｂ  溝の下面のペア
１６０  面プレート
【図１】
2009123682.tif 000003
【図２】
2009123682.tif 000004
【図３】
2009123682.tif 000005
【図４】
2009123682.tif 000006
【図５】
2009123682.tif 000007
【図６】
2009123682.tif 000008
【図７】
2009123682.tif 000009
【図８】
2009123682.tif 000010
【図９】
2009123682.tif 000011
【図１０】
2009123682.tif 000012
【図１１】
2009123682.tif 000013
【図１２】
2009123682.tif 000014
【図１３】
2009123682.tif 000015
【図１４】
2009123682.tif 000016
【図１５】
2009123682.tif 000017
【図１６】
2009123682.tif 000018
【図１７】
2009123682.tif 000019
【図１８】
2009123682.tif 000020
【図１９】
2009123682.tif 000021
【図２０】
2009123682.tif 000022
【図２１】
2009123682.tif 000023
【図２２】
2009123682.tif 000024
【図２３】
2009123682.tif 000025
【図２４】
2009123682.tif 000026
【図２５】
2009123682.tif 000027
【図２６】
2009123682.tif 000028
【図２７】
2009123682.tif 000029
【図２８】
2009123682.tif 000030
【図２９】
2009123682.tif 000031
【外国語明細書】
2009123682000001.pdf